(57)【要約】【課題】高周波信号の伝送特性の低下を防ぎながら、モジュール全体の小型化を可能とする光送受信モジュールを提供する。【解決手段】光送受信モジュール１は、光送受信モジュール筐体１ａ、ＴＯＳＡ５、ＲＯＳＡ６、ＴＯＳＡ接続用ＦＰＣ７、ＲＯＳＡ接続用ＦＰＣ８及び光送受信回路部９を有する光送受信ボード１０を備えて構成される。光送受信ボード１０は複数のリジッド基板から構成され、光送受信回路部９の各回路部品はこれらのリジッド基板に分散して搭載される。光送受信ボード１０を構成する各リジッド基板は、光送受信ボード接続用ＦＰＣ１２により接続される。また各フレキシブル基板と各リジッド基板の各接続部には、フレキシブル基板とリジッド基板の最外層の信号配線層に備えられるマイクロストリップ線路間のインピーダンスを整合するインピーダンス整合手段を備える。【選択図】        図１
2007123744.tif 000002
【特許請求の範囲】
【請求項１】
光送受信回路を搭載する光送受信回路基板、及び、前記光送受信回路基板に接続された、電気信号を光信号に変換して出力する光送信モジュールと光信号を電気信号に変換して出力する光受信モジュールとを備えた光送受信モジュールにおいて、
前記光送受信回路基板は、最外層の信号配線層にマイクロストリップ線路を備える複数のリジット基板と、最外層の信号配線層にマイクロストリップ線路を備え、前記各リジッド基板を接続するフレキシブル基板とを有し、
前記光送受信回路は、前記各リジッド基板に分かれて搭載され、
前記フレキシブル基板と前記リジッド基板の各接続部で、前記フレキシブル基板の前記マイクロストリップ線路と前記リジッド基板の前記マイクロストリップ線路との間のインピーダンスを整合するインピーダンス整合手段を備える
ことを特徴とする光送受信モジュール。
【請求項２】
前記光送信モジュール及び前記光受信モジュールは、最外層の信号配線層にマイクロストリップ線路を備える前記フレキシブル基板を介して、前記光送受信回路が搭載された前記リジッド基板に接続される
ことを特徴とする請求項１記載の光送受信モジュール。
【請求項３】
前記光送受信回路が搭載された前記リジッド基板は、最外層の信号配線層にマイクロストリップ線路を備える前記フレキシブル基板を介して、他基板に接続される
ことを特徴とする請求項１記載の光送受信モジュール。
【請求項４】
前記各リジッド基板が所定の間隔で平行になるように、前記各リジッド基板は配置される
ことを特徴とする請求項１記載の光送受信モジュール。
【請求項５】
前記フレキシブル基板により接続された二つの前記リジッド基板の向きが互いに直交するように、前記各リジッド基板は配置される
ことを特徴とする請求項１記載の光送受信モジュール。
【請求項６】
前記インピーダンス整合手段として、
前記フレキシブル基板は、前記マイクロストリップ線路を備える前記信号配線層の他方の最外層に、信号配線用ビアを介して前記マイクロストリップ線路と導通し、前記リジッド基板と接続を行うリジッド基板接続信号端子を備えると共に、前記リジッド基板接続信号端子に対する所定の位置に、前記リジッド基板との接地導体部の接続を行うリジッド基板接続接地端子を備え、
前記リジッド基板は、前記マイクロストリップ線路を備える前記信号配線層に、前記フレキシブル基板の前記リジッド基板接続信号端子と接続されるフレキシブル基板接続信号端子を備えると共に、前記フレキシブル基板接続信号端子に対する所定の位置に、前記フレキシブル基板の前記リジッド基板接続接地端子と接続されるフレキシブル基板接続接地端子を備え、
前記フレキシブル基板の前記マイクロストリップ線路は、前記信号配線用ビアの近傍で前記信号配線用ビアに向けて徐々に線幅が広くなるように形成されたテーパ部を備え、
前記フレキシブル基板の前記マイクロストリップ線路に対応した接地導体層の接地導体部は、前記リジッド基板接続接地端子の位置に対応した箇所から前記フレキシブル基板の前記マイクロストリップ線路の配線方向に向けて、前記フレキシブル基板の前記マイクロストリップ線路の前記テーパ部の形状と合わせて形成されたテーパ部を備える
ことを特徴とする請求項１記載の光送受信モジュール。
【請求項７】
前記フレキシブル基板の前記マイクロストリップ線路と、前記リジッド基板接続信号端子は、複数の前記信号配線用ビアにより接続される
ことを特徴とする請求項６記載の光送受信モジュール。
【請求項８】
前記フレキシブル基板及び前記リジッド基板に形成された一対のマイクロストリップ線路により差動信号が伝送される
ことを特徴とする請求項６記載の光送受信モジュール。
【請求項９】
前記リジッド基板の前記マイクロストリップ線路に対応した接地導体層は、前記フレキシブル基板接続信号端子の形状に応じて、接地導体部を非形成とした開口部を備える
ことを特徴とする請求項６記載の光送受信モジュール。
【請求項１０】
前記フレキシブル基板は、少なくとも前記マイクロストリップ線路を備える前記信号配線層が位置する面に保護フィルムを備え、
前記保護フィルムは、前記信号配線用ビア及び前記リジッド基板接続接地端子の位置に対応した箇所の周囲の所定の領域において非形成であり、且つ、前記マイクロストリップ線路の前記テーパ部の所定の領域を覆う形状に形成される
ことを特徴とする請求項６記載の光送受信モジュール。
【請求項１１】
前記フレキシブル基板は、前記マイクロストリップ線路に対応した前記接地導体層が、前記マイクロストリップ線路を備える前記信号配線層の他方の最外層として形成され、且つ、少なくとも前記マイクロストリップ線路に対応した前記接地導体層が位置する面に保護フィルムを備え、
前記保護フィルムは、前記リジッド基板接続信号端子及び前記リジッド基板接続接地端子の周囲の所定の領域において非形成であり、且つ、前記マイクロストリップ線路に対応した前記接地導体層の前記接地導体部の前記テーパ部の所定の領域を覆う形状に形成される
ことを特徴とする請求項６記載の光送受信モジュール。
【請求項１２】
前記フレキシブル基板と、前記フレキシブル基板の一部に上下に積層された前記リジッド基板とからなるフレックスリジッド基板を備え、
前記フレックスリジッド基板の前記フレキシブル基板と前記リジッド基板の接続部の前記インピーダンス整合手段として、
前記フレックスリジッド基板の前記フレキシブル基板及び前記リジッド基板を貫通して形成され、前記フレックスリジッド基板の前記フレキシブル基板のマイクロストリップ線路と、前記フレックスリジッド基板の前記リジッド基板のマイクロストリップ線路を接続する信号配線用ビアと、
前記信号配線用ビアに対する所定の位置に、前記フレックスリジッド基板の前記フレキシブル基板及び前記リジッド基板を貫通して形成され、前記フレックスリジッド基板の前記フレキシブル基板及び前記リジッド基板の各接地導体層を接続する接地配線用ビアとを備え、
前記フレックスリジッド基板の前記リジッド基板の前記マイクロストリップ線路に対応した接地導体層は、前記接地配線用ビアと導通した接地導体部を備えると共に、前記信号配線用ビア周囲の所定の領域から前記フレックスリジッド基板の前記リジッド基板の前記マイクロストリップ線路の配線方向の反対側となる領域に、前記接地導体部を非形成とした開口部を備える
ことを特徴とする請求項１記載の光送受信モジュール。
【請求項１３】
前記フレックスリジッド基板の前記フレキシブル基板の前記マイクロストリップ線路に対応した接地導体層、及び前記フレックスリジッド基板の前記リジッド基板の前記マイクロストリップ線路に対応した前記接地導体層以外の、前記フレックスリジッド基板の前記フレキシブル基板及び前記リジッド基板の各接地導体層は、前記信号配線用ビア周囲の所定の領域から前記フレックスリジッド基板の前記リジッド基板の前記マイクロストリップ線路の配線方向の反対側となる領域に、接地導体部を非形成とした開口部を備える
ことを特徴とする請求項１２記載の光送受信モジュール。
【請求項１４】
前記フレックスリジッド基板の前記フレキシブル基板及び前記リジッド基板の前記マイクロストリップ線路は、前記マイクロストリップ線路に対応した前記接地導体層に備えられた前記接地導体部の前記開口部に対応した箇所において、前記信号配線用ビアに向けてテーパ状に広くなるように形成される
ことを特徴とする請求項１２記載の光送受信モジュール。
【請求項１５】
前記フレックスリジッド基板の前記フレキシブル基板及び前記リジッド基板に所定の間隔で形成された一対のマイクロストリップ線路により差動信号が伝送され、
前記フレックスリジッド基板の前記フレキシブル基板に形成された前記一対のマイクロストリップ線路と、前記フレックスリジッド基板の前記リジッド基板に形成された前記一対のマイクロストリップ線とを接続し、所定の間隔で配置された一対の前記信号配線用ビアと、前記一対の信号配線用ビアの配置間隔以上の間隔で前記各信号配線用ビアに対してそれぞれ配置された一対の前記接地配線用ビアとを備えた
ことを特徴とする請求項１２記載の光送受信モジュール。
【請求項１６】
前記一対のマイクロストリップ線路は、前記一対の信号配線用ビアの配置間隔より狭い間隔で前記フレックスリジッド基板の前記フレキシブル基板及び前記リジッド基板に形成され、前記フレックスリジッド基板の前記フレキシブル基板及び前記リジッド基板の前記マイクロストリップ線路に対応した前記各接地導体層に備えられた前記接地導体部の前記開口部に対応した箇所において、前記一対のマイクロストリップ線路の間隔、及び前記一対の信号配線用ビアの配置間隔に応じて、前記信号配線用ビアに向けて広がるように形成される
ことを特徴とする請求項１５記載の光送受信モジュール。
【発明の詳細な説明】
【技術分野】
【０００１】
本発明は、光送信モジュール、光受信モジュール及び光送受信回路を備えた光送受信モジュールに関する。詳しくは、フレキシブル基板で接続された複数のリジッド基板に分かれて搭載された光送受信回路と、フレキシブル基板とリジッド基板との間のインピーダンス整合手段を備えることにより、高周波信号の伝送特性の低下を防ぎながら、モジュール全体の小型化を可能とするものである。
【背景技術】
【０００２】
光送受信モジュールは、光ケーブルを通じてデータの送受信を行う光送受信装置を構成するモジュールであり、ネットワークカード等に搭載される。光送受信モジュールとして、例えば、ＸＦＰ（10 Gigabit Small Form Factor Pluggable）モジュールがある。
【０００３】
ＸＦＰモジュールは、パーソナルコンピュータ等の拡張スロットに実装され、光ケーブルを通じて外部の情報通信機器とデータの送受信を行うネットワークカード等に搭載される。ＸＦＰモジュールは、外部との入出力部として、光ケーブルを接続するための光ケーブル接続用コネクタ、及びネットワークカード等と接続するためのカードエッジコネクタを備える。またＸＦＰモジュールは、光送信モジュールであるＴＯＳＡ、光受信モジュールであるＲＯＳＡ、及び光送受信回路が搭載された光送受信ボードを備える。
【０００４】
ＴＯＳＡ及びＲＯＳＡは、光ケーブル接続コネクタに対応した位置に並んで配置される。ＴＯＳＡ（Transmitter Optical Sub-Assembly）は、レーザーダイオード等を備えた送信用の光デバイスであり、電気信号を光信号に変換して出力する。ＲＯＳＡ（Receiver Optical Sub-Assembly）は、フォトダイオード等を備えた受信用の光デバイスであり、光信号を電気信号に変換して出力する。
【０００５】
光送受信ボードは、リジット基板により構成され、フレキシブル基板を介してＴＯＳＡ及びＲＯＳＡに接続された光送受信回路部が搭載される。光送受信回路部には、ＴＯＳＡのレーザーダイオードの駆動回路、及びＲＯＳＡのフォトダイオードにより受光した信号のポストアンプ回路等が備えられる。光送受信回路部の各回路は、カードエッジコネクタを介してネットワークカードのホストボート等の他基板の各回路に接続された状態となる。
【０００６】
他基板の各回路には、例えばＰＨＹ（Physical layer）用チップ、及びＭＡＣ（Media Access Control）用チップ等が備えられる。または他基板の各回路にＰＨＹ用チップは備えられず、光送受信回路部の各回路が直接ＭＡＣ用チップに接続される。他基板の各回路は、ネットワークカードが搭載された拡張スロット等を介してパーソナルコンピュータ等に接続される。
【０００７】
以上のような構成を備えることにより、ＸＦＰモジュールでは、光ケーブル接続コネクタに接続された光ケーブルを通じて、次に示すように外部の情報通信機器等とのデータの送受信が行われる。
【０００８】
外部の情報通信機器等へのデータの送信は、次のように行われる。パーソナルコンピュータ等の拡張スロットを介して、データ送信に必要な情報が電気信号でＸＦＰモジュールが搭載されたネットワークカード等の各回路に入力される。入力されたデータ送信に必要な情報は、備えられているＭＡＣ用チップ及びＰＨＹ用チップ等により処理が行われ、カードエッジコネクタを介して光送受信ボード上の光送受信回路部に電気信号で入力される。その後、光送受信回路部に入力された情報に基づき、フレキシブル基板を介して、電気信号でＴＯＳＡのレーザーダイオードが駆動され、光ケーブルを通じて外部の情報通信機器に対して光信号でデータの送信が行われる。
【０００９】
外部の情報通信機器等からのデータの受信は、次のように行われる。外部の情報通信機器からのデータが、ＲＯＳＡのフォトダイオードに光ケーブルを通じて光信号で入力される。ＲＯＳＡのフォトダイオードに入力された光信号は電気信号に変換され、フレキシブル基板を介して、光送受信ボード上の光送受信回路部に電気信号で入力される。光送受信回路部に入力された電気信号はポストアンプ回路等により処理された後、カードエッジコネクタを介して他基板上の各回路に入力される。入力された電気信号はＰＨＹ用チップ及びＭＡＣ用チップ等により処理が行われ、受信したデータとして拡張スロット等を介してパーソナルコンピュータ等側に電気信号で出力される。
【００１０】
また上記とは別に、光送受信回路部と論理機能回路部をそれぞれ別基板に配置する光送受信モジュールが提案されている（例えば特許文献１参照）。特許文献１に開示される光送受信モジュールは、光送受信回路部と論理機能回路部をそれぞれ別基板に配置することにより、論理回路から光送受信回路へのクロストーク等の信号干渉を防ぎ、且つモジュール全体の小型化を可能とするものである。
【００１１】
【特許文献１】特開平１１−１７７２７８号公報
【発明の開示】
【発明が解決しようとする課題】
【００１２】
しかし上述したＸＦＰモジュールでは、次のような問題がある。ＸＦＰモジュールは、光送受信回路部を搭載する光送受信ボードが一つのリジッド基板で構成されている。このため、光送受信ボードの大きさにより、モジュール全体の小型化が制約されてしまう。ＸＦＰモジュールは、光ケーブル接続用コネクタからカードエッジコネクタまでの外形部の長さが７８ｍｍである。
【００１３】
また、特許文献１に開示される光送受信モジュールは、光送受信回路部と論理機能回路部をそれぞれ別基板に配置する構成であり、高周波の信号が伝送される光送受信回路部を複数の基板に分けて搭載することはできない。
【００１４】
本発明はこのような問題を解決するためになされたものであり、高周波信号の伝送特性の低下を防ぎながら、モジュール全体の小型化を可能とする光送受信モジュールを提供することを目的とする。
【課題を解決するための手段】
【００１５】
上述した課題を解決するため、本発明に係る光送受信モジュールは、光送受信回路を搭載する光送受信回路基板、及び、光送受信回路基板に接続された、電気信号を光信号に変換して出力する光送信モジュールと光信号を電気信号に変換して出力する光受信モジュールとを備えた光送受信モジュールにおいて、光送受信回路基板は、最外層の信号配線層にマイクロストリップ線路を備える複数のリジット基板と、最外層の信号配線層にマイクロストリップ線路を備え、各リジッド基板を接続するフレキシブル基板とを有し、光送受信回路は、各リジッド基板に分かれて搭載され、フレキシブル基板とリジッド基板の各接続部で、フレキシブル基板のマイクロストリップ線路とリジッド基板のマイクロストリップ線路との間のインピーダンスを整合するインピーダンス整合手段を備えることを特徴とするものである。
【００１６】
本発明に係る光送受信モジュールにおいては、光送受信回路は、フレキシブル基板により接続された複数のリジッド基板に分かれて搭載される。光送受信回路を搭載する各リジッド基板は、各フレキシブル基板の長さの範囲内で配置を変更することができる。
【００１７】
また、光送受信回路を搭載する複数のリジッド基板、及びこれらのリジッド基板を接続するフレキシブル基板に備えられるマイクロストリップ線路では、高周波信号が伝送される。フレキシブル基板とリジッド基板の各接続部では、フレキシブル基板のマイクロストリップ線路とリジッド基板のマイクロストリップ線路との間のインピーダンスが、インピーダンス整合手段により整合される。
【発明の効果】
【００１８】
本発明に係る光送受信モジュールによれば、光送受信回路が、フレキシブル基板により接続された複数のリジッド基板に分かれて搭載され、各リジッド基板は、各フレキシブル基板の長さの範囲内で配置を変更することができる。このため、光送受信回路全体の大きさによらず、モジュール全体の小型化が可能になる。
【００１９】
また、フレキシブル基板のマイクロストリップ線路とリジッド基板のマイクロストリップ線路との間のインピーダンスは、インピーダンス整合手段により整合される。このため、フレキシブル基板とリジッド基板の接続箇所における高周波信号の伝送特性の低下を防ぎ、高速のデータの送受信を安定して行うことが可能となる。
【発明を実施するための最良の形態】
【００２０】
以下図面を参照して、本発明の光送受信モジュールの実施の形態について説明する。先に、後述する光送受信ボード１０を構成する複数のリジッド基板の配置が異なる、光送受信モジュールの各実施の形態について説明する。その後、各インピーダンス整合手段の構成例及び動作例について説明し、最後に光送受信モジュール全体の動作例について説明する。
【００２１】
＜本発明の光送受信モジュールの構成例＞
図１から図８は、第１から第４の実施の形態の光送受信モジュールの構成を示す説明図であり、断面形状の概略を示している。図１は第１の実施の形態の光送受信モジュール１の第１の例を示し、図２は第１の実施の形態の光送受信モジュール１の第２の例を示す。図３は第２の実施の形態の光送受信モジュール２の第１の例を示し、図４は第２の実施の形態の光送受信モジュール２の第２の例を示す。図５は第３の実施の形態の光送受信モジュール３の第１の例を示し、図６は第３の実施の形態の光送受信モジュール３の第２の例を示す。図７は第４の実施の形態の光送受信モジュール４の第１の例を示し、図８は第４の実施の形態の光送受信モジュール４の第２の例を示す。
【００２２】
光送受信モジュール１・２・３・４は、パーソナルコンピュータ等の拡張スロットに搭載され、光ケーブルを通じて外部の情報通信機器とデータの送受信を行うネットワークカード等に搭載される。
【００２３】
図１から図８に示すように、光送受信モジュール１・２・３・４は、光送受信モジュール筐体、ＴＯＳＡ５、ＲＯＳＡ６、ＴＯＳＡ接続用ＦＰＣ７、ＲＯＳＡ接続用ＦＰＣ８及び光送受信回路部９を有する光送受信ボード１０を備えて構成される。
【００２４】
ＴＯＳＡ５及びＲＯＳＡ６は、光送受信モジュール筐体の光ケーブル接続コネクタ１１に対応した位置に並んで配置される。ＴＯＳＡ（Transmitter Optical Sub-Assembly）５は、レーザーダイオード等を備えた送信用の光デバイスであり、光ケーブル接続コネクタ１１に接続される光ケーブルのコネクタに対するインターフェースを有し、電気信号を光信号に変換して出力する。ＲＯＳＡ（Receiver Optical Sub-Assembly）６は、フォトダイオード等を備えた受信用の光デバイスであり、光ケーブル接続コネクタ１１に接続される光ケーブルのコネクタに対するインターフェースを有し、光信号を電気信号に変換して出力する。
【００２５】
ＴＯＳＡ５及びＲＯＳＡ６は、それぞれＴＯＳＡ接続用ＦＰＣ（Flexible Printed Circuit）７及びＲＯＳＡ接続用ＦＰＣ８により、光送受信ボード１０に接続される。ＴＯＳＡ接続用ＦＰＣ７及びＲＯＳＡ接続用ＦＰＣ８はフレキシブル基板である。光送受信ボード１０は、リジット基板により構成され、ＴＯＳＡ接続用ＦＰＣ７及びＲＯＳＡ接続用ＦＰＣ８を介してＴＯＳＡ５及びＲＯＳＡ６に接続された光送受信回路部９を備える。光送受信ボード１０は複数の基板から構成される。図１から図８に示す光送受信モジュール１・２・３・４では、光送受信ボード１０が三つの基板から構成されている例を示している。各光送受信ボード１０は光送受信ボード接続用ＦＰＣ１２により接続される。光送受信ボード接続用ＦＰＣ１２はフレキシブル基板である。光送受信回路部９には、例えばＴＯＳＡ５のレーザーダイオードの駆動回路、及びＲＯＳＡ６のフォトダイオードにより受光した信号のポストアンプ回路等が備えられる。光送受信回路部９の各回路は光送受信ボード１０の各基板上に分かれて搭載される。光送受信回路部９は光送受信回路の一例であり、光送受信ボード１０を構成する各リジッド基板及び光送受信ボード接続用ＦＰＣ１２は光送受信回路基板の一例である。
【００２６】
また、図１から図８に示す光送受信モジュール１・２・３・４は、フレキシブル基板である他基板接続用ＦＰＣ１３を介して、図示しない、例えばネットワークカードのホストボート等の他基板に接続される。これにより、光送受信回路部９の各回路は、他基板接続用ＦＰＣ１３を介して他基板の各回路に接続された状態となる。他基板の各回路には、例えばＰＨＹ（Physical layer）用チップ、及びＭＡＣ（Media Access Control）用チップ等が備えられる。他基板の各回路は、ネットワークカードが搭載された拡張スロット等を介してパーソナルコンピュータ等に接続される。他基板の各回路にＰＨＹ用チップが備えられず、光送受信回路部９の各回路が直接ＭＡＣ用チップに接続される構成としてもよい。
【００２７】
また、フレキシブル基板である、ＲＯＳＡ接続用ＦＰＣ８、ＴＯＳＡ接続用ＦＰＣ７、光送受信ボード接続用ＦＰＣ１２及び他基板接続用ＦＰＣ１３と、光送受信ボード１０を構成する各リジッド基板の最外層の信号配線層には、高周波信号を伝送するためのマイクロストリップラインとして信号線路が配線されている。
【００２８】
図１及び図２に示す第１の実施の形態の光送受信モジュール１においては、光送受信ボード１０を構成する三つの基板は、ＲＯＳＡ６及びＴＯＳＡ５の後方にて、光ケーブル接続コネクタ１１への光ケーブルの接続方向に、各基板の各断面が所定の間隔で平行になるように配置される。各基板の間隔は各基板上に搭載される光送受信回路部９の各回路部品の物理的な寸法、及び各回路部品の冷却条件等を考慮して決められる。
【００２９】
図１に示す光送受信モジュール１の第１の例では、ＲＯＳＡ接続用ＦＰＣ８及びＴＯＳＡ接続用ＦＰＣ７が、ＲＯＳＡ６、ＴＯＳＡ５及び光送受信ボード１０の下方に位置し、他基板接続用ＦＰＣ１３が、光送受信モジュール筐体１ａの上端部近傍から光送受信モジュール筐体１ａの外部へ引き出される構成としている。このような構成を備えることにより、各部の長さは例えば次のようになる。図１のＬ１で示すＲＯＳＡ６及びＴＯＳＡ５の中心部から、光送受信モジュール筐体１ａ内部の上端部までの長さは５ｍｍとなり、Ｌ２で示すＲＯＳＡ６及びＴＯＳＡ５の中心部から、光送受信モジュール筐体１ａ内部の下端部までの長さは５ｍｍとなる。また、Ｌ３で示す、ＲＯＳＡ接続用ＦＰＣ８及びＴＯＳＡ接続用ＦＰＣ７の、ＲＯＳＡ６及びＴＯＳＡ５への接続箇所から光送受信モジュール筐体１ａの内部の後端部までの長さは１６ｍｍとなる。
【００３０】
図２に示す光送受信モジュール１の第２の例では、ＲＯＳＡ接続用ＦＰＣ８及びＴＯＳＡ接続用ＦＰＣ７が、ＲＯＳＡ６、ＴＯＳＡ５及び光送受信ボード１０の上方に位置し、他基板接続用ＦＰＣ１３が、光送受信モジュール筐体１ｂの下端部近傍から光送受信モジュール筐体１ｂの外部へ引き出される構成としている。このような構成を備えることにより、各部の長さは例えば次のようになる。図２のＬ４で示すＲＯＳＡ６及びＴＯＳＡ５の中心部から、光送受信モジュール筐体１ｂ内部の上端部までの長さは７ｍｍとなり、Ｌ５で示すＲＯＳＡ６及びＴＯＳＡ５の中心部から、光送受信モジュール筐体１ｂ内部の下端部までの長さは３ｍｍとなる。また、Ｌ６で示す、ＲＯＳＡ接続用ＦＰＣ８及びＴＯＳＡ接続用ＦＰＣ７の、ＲＯＳＡ６及びＴＯＳＡ５への接続箇所から光送受信モジュール筐体１ａの内部の後端部までの長さは１６ｍｍとなる。
【００３１】
図３及び図４に示す第２の実施の形態の光送受信モジュール２においては、光送受信ボード１０を構成する三つの基板は、ＲＯＳＡ６及びＴＯＳＡ５の後方にて、光ケーブル接続コネクタ１１への光ケーブルの接続方向と直交する向きに、各基板の各断面が所定の間隔で平行になるように配置される。各基板の間隔は各基板上に搭載される光送受信回路部９の各回路部品の物理的な寸法、及び各回路部品の冷却条件等を考慮して決められる。
【００３２】
図３に示す光送受信モジュール２の第１の例では、ＲＯＳＡ接続用ＦＰＣ８及びＴＯＳＡ接続用ＦＰＣ７が、ＲＯＳＡ６及びＴＯＳＡ５の下方に位置し、他基板接続用ＦＰＣ１３が、光送受信モジュール筐体２ａの上端部近傍から光送受信モジュール筐体２ａの外部へ引き出される構成としている。このような構成を備えることにより、各部の長さは例えば次のようになる。図３のＬ７で示すＲＯＳＡ６及びＴＯＳＡ５の中心部から、光送受信モジュール筐体内部２ａの上端部までの長さは７ｍｍとなり、Ｌ８で示すＲＯＳＡ６及びＴＯＳＡ５の中心部から、光送受信モジュール筐体２ａ内部の下端部までの長さは７ｍｍとなる。また、Ｌ９で示す、ＲＯＳＡ接続用ＦＰＣ８及びＴＯＳＡ接続用ＦＰＣ７の、ＲＯＳＡ６及びＴＯＳＡ５への接続箇所から光送受信モジュール筐体２ａの内部の後端部までの長さは１２ｍｍとなる。
【００３３】
図４に示す光送受信モジュール２の第２の例では、ＲＯＳＡ接続用ＦＰＣ８及びＴＯＳＡ接続用ＦＰＣ７が、ＲＯＳＡ６及びＴＯＳＡ５の上方に位置し、他基板接続用ＦＰＣ１３が、光送受信モジュール筐体２ｂの下端部近傍から光送受信モジュール筐体２ｂの外部へ引き出される構成としている。このような構成を備えることにより、各部の長さは例えば次のようになる。図４のＬ１０で示すＲＯＳＡ６及びＴＯＳＡ５の中心部から、光送受信モジュール筐体２ｂ内部の上端部までの長さは７ｍｍとなり、Ｌ１１で示すＲＯＳＡ６及びＴＯＳＡ５の中心部から、光送受信モジュール筐体２ｂ内部の下端部までの長さは７ｍｍとなる。また、Ｌ１２で示す、ＲＯＳＡ接続用ＦＰＣ８及びＴＯＳＡ接続用ＦＰＣ７の、ＲＯＳＡ６及びＴＯＳＡ５への接続箇所から光送受信モジュール筐体２ｂの内部の後端部までの長さは１２ｍｍとなる。
【００３４】
図５及び図６に示す第３の実施の形態の光送受信モジュール３においては、光送受信ボード１０を構成する三つの基板は、ＲＯＳＡ６及びＴＯＳＡ５の後方にて、光送受信ボード接続用ＦＰＣ１２で接続された各基板が互いに直交した向きになるように配置される。図５及び図６に示す第３の実施の形態の光送受信モジュール３においては、光送受信ボード１０を構成する三つの基板はコ字状に配置される。各基板の配置位置は、は各基板上に搭載される光送受信回路部９の各回路部品の物理的な寸法、及び各回路部品の冷却条件等を考慮して決められる。
【００３５】
図５に示す光送受信モジュール３の第１の例では、ＲＯＳＡ接続用ＦＰＣ８及びＴＯＳＡ接続用ＦＰＣ７が、ＲＯＳＡ６及びＴＯＳＡ５の下方に位置し、他基板接続用ＦＰＣ１３が、光送受信モジュール筐体３ａの上端部近傍から光送受信モジュール筐体３ａの外部へ引き出される構成としている。このような構成を備えることにより、各部の長さは例えば次のようになる。図５のＬ１３で示すＲＯＳＡ６及びＴＯＳＡ５の中心部から、光送受信モジュール筐体３ａ内部の上端部までの長さは７ｍｍとなり、Ｌ１４で示すＲＯＳＡ６及びＴＯＳＡ５の中心部から、光送受信モジュール筐体３ａ内部の下端部までの長さは５ｍｍとなる。また、Ｌ１５で示す、ＲＯＳＡ接続用ＦＰＣ８及びＴＯＳＡ接続用ＦＰＣ７の、ＲＯＳＡ６及びＴＯＳＡ５への接続箇所から光送受信モジュール筐体３ａの内部の後端部までの長さは１６ｍｍとなる。
【００３６】
図６に示す光送受信モジュール３の第２の例では、ＲＯＳＡ接続用ＦＰＣ８及びＴＯＳＡ接続用ＦＰＣ７が、ＲＯＳＡ６及びＴＯＳＡ５の上方に位置し、他基板接続用ＦＰＣ１３が、光送受信モジュール筐体３ｂの下端部近傍から光送受信モジュール筐体３ｂの外部へ引き出される構成としている。このような構成を備えることにより、各部の長さは例えば次のようになる。図６のＬ１６で示すＲＯＳＡ６及びＴＯＳＡ５の中心部から、光送受信モジュール筐体３ｂ内部の上端部までの長さは５ｍｍとなり、Ｌ１７で示すＲＯＳＡ６及びＴＯＳＡ５の中心部から、光送受信モジュール筐体３ｂ内部の下端部までの長さは７ｍｍとなる。また、Ｌ１８で示す、ＲＯＳＡ接続用ＦＰＣ８及びＴＯＳＡ接続用ＦＰＣ７の、ＲＯＳＡ６及びＴＯＳＡ５への接続箇所から光送受信モジュール筐体３ｂの内部の後端部までの長さは１６ｍｍとなる。
【００３７】
図７及び図８に示す第４の実施の形態の光送受信モジュール４においては、光送受信ボード１０を構成する三つの基板は、ＲＯＳＡ６及びＴＯＳＡ５の後方にて、光送受信ボード接続用ＦＰＣ１２で接続された各基板が互いに直交した向きになるように配置される。各基板の配置位置は、は各基板上に搭載される光送受信回路部９の各回路部品の物理的な寸法、及び各回路部品の冷却条件等を考慮して決められる。
【００３８】
図７に示す光送受信モジュール４の第１の例では、ＲＯＳＡ接続用ＦＰＣ８及びＴＯＳＡ接続用ＦＰＣ７が、ＲＯＳＡ６及びＴＯＳＡ５の上方に位置し、他基板接続用ＦＰＣ１３が、光送受信モジュール筐体４ａの上端部近傍から光送受信モジュール筐体４ａの外部へ引き出される構成としている。このような構成を備えることにより、各部の長さは例えば次のようになる。図７のＬ１９で示すＲＯＳＡ６及びＴＯＳＡ５の中心部から、光送受信モジュール筐体４ａ内部の上端部までの長さは７ｍｍとなり、Ｌ２０で示すＲＯＳＡ６及びＴＯＳＡ５の中心部から、光送受信モジュール筐体４ａ内部の下端部までの長さは７ｍｍとなる。また、Ｌ２１で示す、ＲＯＳＡ接続用ＦＰＣ８及びＴＯＳＡ接続用ＦＰＣ７の、ＲＯＳＡ６及びＴＯＳＡ５への接続箇所から光送受信モジュール筐体４ａの内部の後端部までの長さは１８ｍｍとなる。
【００３９】
図８に示す光送受信モジュール４の第２の例では、ＲＯＳＡ接続用ＦＰＣ８及びＴＯＳＡ接続用ＦＰＣ７が、ＲＯＳＡ６及びＴＯＳＡ５の下方に位置し、他基板接続用ＦＰＣ１３が、光送受信モジュール筐体４ｂの下端部近傍から光送受信モジュール筐体４ｂの外部へ引き出される構成としている。このような構成を備えることにより、各部の長さは例えば次のようになる。図８のＬ２２で示すＲＯＳＡ６及びＴＯＳＡ５の中心部から、光送受信モジュール筐体４ｂ内部の上端部までの長さは７ｍｍとなり、Ｌ２３で示すＲＯＳＡ６及びＴＯＳＡ５の中心部から、光送受信モジュール筐体４ｂ内部の下端部までの長さは７ｍｍとなる。また、Ｌ２４で示す、ＲＯＳＡ接続用ＦＰＣ８及びＴＯＳＡ接続用ＦＰＣ７の、ＲＯＳＡ６及びＴＯＳＡ５への接続箇所から光送受信モジュール筐体４ｂの内部の後端部までの長さは１８ｍｍとなる。
【００４０】
図１から図８に示す光送受信モジュール１・２・３・４においては、光送受信ボード１０を構成する各基板の両面に光送受信回路部９の各回路部品が搭載される構成としたが、光送受信回路部９の構成等によっては、光送受信ボード１０を構成する各基板の片面のみに光送受信回路部９の各回路部品が搭載される構成としてもよい。
【００４１】
また、図１から図８に示す光送受信モジュール１・２・３・４においては、光送受信ボード１０を構成する各基板が略同一の形状を有するとした。しかし、光送受信回路部９の構成等によっては、光送受信ボード１０を構成する各基板の大きさを異なったものにしてもよい。
【００４２】
図１から図８で示す本実施の形態の光送受信モジュール１・２・３・４においては、光送受信回路部９の各回路が複数の基板から構成される光送受信ボード１０上に分散されて搭載さる。また光送受信ボード１０を構成する各基板はリジッド基板により構成され、フレキシブル基板である光送受信ボード接続用ＦＰＣ１２により接続される。これにより、各光送受信ボード接続用ＦＰＣ１２の長さの範囲内で光送受信ボード１０を構成する各基板の配置を行うことが可能となる。
【００４３】
この結果、図１から図８に示したように、本実施の形態の光送受信モジュール１・２・３・４は、ＸＦＰモジュールと比較して、モジュール全体の小型化が可能になる。
【００４４】
また、図１から図８に示す光送受信モジュール１・２・３・４の第１の例及び第２の例においては、上述したように、光送受信モジュール筐体の大きさ及び形状、光ケーブル接続コネクタ１１の位置及び他基板接続用ＦＰＣ１３が筐体の外へ引き出される位置等が異なる。よって、光送受信モジュールを搭載するネットワークカード等の構成に応じて、適用可能な光送受信モジュールを選択することができる。
【００４５】
次にフレキシブル基板である、ＲＯＳＡ接続用ＦＰＣ８、ＴＯＳＡ接続用ＦＰＣ７、光送受信ボード接続用ＦＰＣ１２及び他基板接続用ＦＰＣ１３と、光送受信ボード１０を構成する各リジッド基板の各接続部における、マイクロストリップ線路の特性インピーダンスの整合を行うためのインピーダンス整合手段の構成例について説明する。
【００４６】
本発明の光送受信モジュールにおいては、後述するように、外部の情報通信機器等の間と高速でデータの送受信が行われ、その際には、各フレキシブル基板及び各リジッド基板にマイクロストリップラインとして備えられた各信号線路で高周波信号が伝送される。インピーダンス整合手段は、フレキシブル基板とリジッド基板の各接続部におけるインピーダンスを整合し、高周波信号の伝送特性を向上させるために設けられる。まず、第１のインピーダンス整合手段の構成例について説明する。
【００４７】
＜第１のインピーダンス整合手段の構成例＞
第１のインピーダンス整合手段においては、フレキシブル基板である、ＲＯＳＡ接続用ＦＰＣ８、ＴＯＳＡ接続用ＦＰＣ７、光送受信ボード接続用ＦＰＣ１２及び他基板接続用ＦＰＣ１３と、光送受信ボード１０を構成する各リジッド基板は、それぞれの基板端部に備えられた接続端子が半田により接続される。第１のインピーダンス整合手段として各リジッド基板及びフレキシブル基板は、次のような基板接続構造を有する。
【００４８】
図９から図１４は、第１のインピーダンス整合手段の基板接続構造を示す説明図である。図９はフレキシブル基板１４とリジッド基板１５の接続構造の概略を示す平面図であり、説明のため一部の構成を透視した状態で破線で示している。図１０は図９のＡ−Ａ断面を示す概略図である。図１１は後述するフレキシブル基板１４のカバーレイ１６及び第一配線層１４ａを示す平面図であり、図９の上方から見た状態を示している。図１２は後述するフレキシブル基板１４のカバーレイ１６及び第二配線層１４ｃを示す平面図であり、図９の下方から見た状態を示している。図１３は後述するリジッド基板１５のレジスト１７及び第一配線層１４ａを示す平面図であり、図９の上方から見た状態を示している。図１４は後述するフレキシブル基板１４の第二配線層１４ｃを示す平面図であり、図９の上方から見た状態を示している。
【００４９】
図９から図１４に示すように、第１のインピーダンス整合手段の基板接続構造では、フレキシブル基板１４とリジッド基板１５が、重ね合わされた状態で電気的に接続される。フレキシブル基板１４は第一配線層１４ａ、第一絶縁層１４ｂ及び第二配線層１４ｃが上下に積層されて形成される。第一配線層１４ａの上部及び第二配線層１４ｃの下部にはカバーレイ１６が備えられる。リジッド基板１５は第一から第四の各配線層と第一から第三の各絶縁層が交互に上下に積層されて形成される。第一配線層１５ａの上部にはレジスト１７が備えられる。
【００５０】
また、フレキシブル基板１４の第一配線層１４ａには、信号配線層としてマイクロストリップラインである一対の信号線路１９ａ・１９ｂが配線される。リジッド基板１５の第一配線層１５ａには、信号配線層としてマイクロストリップラインである一対の信号線路１９ｃ・１９ｄが配線される。フレキシブル基板１４の第二配線層１４ｃにはグランド層１４ｅが形成され、リジッド基板１５の第二配線層１５ｃはグランド層１５ｈが形成される。リジッド基板１５の第三配線層１５ｅ及び第四配線層１５ｇは信号配線層又はグランド層として用いられる。グランド層は接地導体層の一例である。
【００５１】
更に、フレキシブル基板１４の第二配線層１４ｃの端部には、リジッド基板１５との電気的接続に用いられる信号接続パッド１４ｆ及びグランド接続パッド１４ｇが備えられる。信号接続パッド１４ｆはリジッド基板接続信号端子の一例であり、グランド接続パッド１４ｇはリジッド基板接続接地端子の一例である。リジッド基板１５の第一配線層１５ａの端部には、フレキシブル基板１４との電気的接続に用いられる信号接続パッド１５ｊ及びグランド接続パッド１５ｉが備えられる。信号接続パッド１５ｊはフレキシブル基板接続信号端子の一例であり、グランド接続パッド１５ｉはフレキシブル基板接続接地端子の一例である。フレキシブル基板１４とリジッド基板１５は、基板の一方の面の端部に備えられたこれらの接続パッドにより電気的に接続するように、互いに重ね合わされた状態となる。フレキシブル基板１４とリジッド基板１５の各接続パッドは半田１８により接続される。
【００５２】
リジッド基板１５の各接続パッドは、例えばフレキシブル基板１４の対応した各接続パッドと比較してある程度大きいサイズに形成される。これにより、フレキシブル基板１４及びリジッド基板１５が、所定の位置からある程度ずれて重ね合わされた場合にも各信号及びグランドのラインの電気的な接続を確保することが可能となる。
【００５３】
またフレキシブル基板１４は、第一配線層１４ａに備えられた信号線路１９ａ・１９ｂと第二配線層１４ｃに備えられた各信号接続パッド１４ｆを接続する貫通ビアである信号ビア１４ｄを備える。第一配線層１４ａに備えられた信号線路１９ａ・１９ｂと第二配線層１４ｃに備えられた信号接続パッド１４ｆは、インダクタンスの影響による特性インピーダンスのミスマッチを避けるため、例えば二つの信号ビア１４ｄにより接続される。更にフレキシブル基板１４は、第一配線層１４ａと第二配線層１４ｃに備えられたグランド接続パッド１４ｇを接続する貫通ビアであるグランドビア１４ｈを備える。グランドビア１４ｈは、それぞれ信号ビア１４ｄに対する所定の位置に設けられる。
【００５４】
ここで、信号ビア１４ｄ及びグランドビア１４ｈは貫通ビアとして形成されているため、フレキシブル基板１４とリジッド基板１５の各接続パッドどうしを圧着により半田１８で接続する際に、各信号ビア１４ｄ及びグランドビア１４ｈの上部から加えられる熱を半田１８に対して効率良く伝達することが可能となる。信号ビア１４ｄは信号配線用ビアの一例である。
【００５５】
また、図５及び図７に示すように、フレキシブル基板１４の第一配線層１４ａに備えられた信号線路１９ａ・１９ｂは、信号ビア１４ｄの近傍で、各信号線路１９ａ・１９ｂの所定の線幅と信号ビア１４ｄの直径に応じて信号ビア１４ｄに向かってテーパ状に広くなるように形成された信号線路テーパ部１４ｉを備える。信号線路テーパ部１４ｉは、フレキシブル基板のマイクロストリップ線路に形成されたテーパ部の一例である。
【００５６】
更に、図５及び図８に示すように、フレキシブル基板１４の第二配線層１４ｃのグランド層１４ｅは、グランドビア１４ｈの近傍において、第一配線層１４ａに形成された信号線路１９ａ・１９ｂの信号線路テーパ部１４ｉの向きに合わせて形成されたグランド層テーパ部１４ｊを備える。グランド層テーパ部１４ｊは、フレキシブル基板のマイクロストリップ線路に対応した接地導体部に形成されたテーパ部の一例である。図１２のＣに示す領域は、フレキシブル基板１４とリジッド基板１５の各接続パッドの圧着による接続時の半田１８の流入を防ぐため、グランド層１４ｅが非形成となる。
【００５７】
また、フレキシブル基板１４の両面に備えられるそれぞれのカバーレイ１６は信号ビア１４ｄ及びグランドビア１４ｈの周囲の所定の領域にて非形成となっている。ここで図１１のＢに示すように、フレキシブル基板１４の第一配線層１４ａの面に備えられるカバーレイ１６は、第一配線層１４ａの信号線路１９ａ・１９ｂの信号線路テーパ部１４ｉの一部を覆う形状に形成される。また、図１２のＤに示すように、フレキシブル基板１４の第二配線層１４ｃの面に備えられるカバーレイ１６は、第二配線層１４ｃのグランド層１４ｅのグランド層テーパ部１４ｊの一部を覆う形状に形成される。カバーレイ１６は保護フィルムの一例である。
【００５８】
更にリジッド基板１５の第一配線層１５ａに備えられているレジスト１７は、信号ビア１４ｄ及びグランドビア１４ｈの周囲の所定の領域にて非形成となっている（レジスト開口部１７ａ）。
【００５９】
図９から図１４に示す第１のインピーダンス整合手段の基板接続構造においては、二つの信号線路１９により差動信号が伝送される構成とした。しかし、一つの信号線路１９によりシングルエンドモードの信号が伝送され、この信号線路１９の接続を行う信号ビア１４ｄ及び信号接続パッド１４ｆの両側に所定の間隔でグランドビア１４ｈ及びグランド接続パッド１４ｇが配置される構成としてもよい。
【００６０】
次に、第２のインピーダンス整合手段の構成例について説明する。
【００６１】
＜第２のインピーダンス整合手段の構成例＞
第２のインピーダンス整合手段においては、第１のインピーダンス整合手段と同様に、フレキシブル基板である、ＲＯＳＡ接続用ＦＰＣ８、ＴＯＳＡ接続用ＦＰＣ７、光送受信ボード接続用ＦＰＣ１２及び他基板接続用ＦＰＣ１３と、光送受信ボード１０を構成する各リジッド基板は、それぞれの基板端部に備えられた接続端子が半田により接続される。また、後述するように、第２のインピーダンス整合手段の基板接続構造は、リジッド基板１５の第二配線層１５ｃのグランド層１５ｋを、第１のインピーダンス整合手段の基板接続構造のリジッド基板１５の第二配線層１５ｃのグランド層１５ｈで、信号接続パッド１５ｊの形状に応じてグランド層を非形成としたグランド層開口部１５ｌを備える形状としたものである。第２のインピーダンス整合手段として各リジッド基板及びフレキシブル基板は、次のような基板接続構造を有する。
【００６２】
図１５から図２０は、第２のインピーダンス整合手段の基板接続構造の構成を示す説明図である。図１５はフレキシブル基板１４とリジッド基板１５の接続構造の概略を示す平面図であり、説明のため一部の構成を透視した状態で破線で示している。図１６は図１５のＥ−Ｅ断面を示す概略図である。図１７は後述するフレキシブル基板１４のカバーレイ１６及び第一配線層１４ａを示す平面図であり、図１６の上方から見た状態を示している。図１８は後述するフレキシブル基板１４のカバーレイ１６及び第二配線層１４ｃを示す平面図であり、図１６の下方から見た状態を示している。図１９は後述するリジッド基板１５のレジスト１７及び第一配線層１４ａを示す平面図であり、図１６の上方から見た状態を示している。図２０は後述するフレキシブル基板１４の第二配線層１４ｃを示す平面図であり、図１６の上方から見た状態を示している。
【００６３】
図１５から図２０に示すように、第２のインピーダンス整合手段の基板接続構造は、第１のインピーダンス整合手段の基板接続構造と同様に、フレキシブル基板１４とリジッド基板１５が、重ね合わされた状態で電気的に接続される。第２のインピーダンス整合手段の基板接続構造においては、フレキシブル基板１４は第一配線層１４ａ、第一絶縁層１４ｂ及び第二配線層１４ｃが上下に積層されて形成され、第一配線層１４ａの上部及び第二配線層１４ｃの下部にはカバーレイ１６が備えられる。リジッド基板１５は第一から第四の各配線層と第一から第三の各絶縁層が交互に上下に積層されて形成され、第一配線層１４ａの上部にはレジスト１７が備えられる。
【００６４】
また、フレキシブル基板１４の第一配線層１４ａには、信号配線層としてマイクロストリップラインである一対の信号線路１９ａ・１９ｂが配線される。リジッド基板１５の第一配線層１５ａには、信号配線層としてマイクロストリップラインである一対の信号線路１９ｃ・１９ｄが配線される。フレキシブル基板１４の第二配線層１４ｃにはグランド層１４ｅが形成され、リジッド基板１５の第二配線層１５ｃはグランド層１５ｋが形成される。リジッド基板１５の第三配線層１５ｅ及び第四配線層１５ｇは信号配線層又はグランド層として用いられる。グランド層は接地導体層の一例である。
【００６５】
更に、フレキシブル基板１４の第二配線層１４ｃの端部には、リジッド基板１５との電気的接続に用いられる信号接続パッド１４ｆ及びグランド接続パッド１４ｇが備えられる。信号接続パッド１４ｆはリジッド基板接続信号端子の一例であり、グランド接続パッド１４ｇはリジッド基板接続接地端子の一例である。リジッド基板１５の第一配線層１５ａの端部には、フレキシブル基板１４との電気的接続に用いられる信号接続パッド１５ｊ及びグランド接続パッド１５ｉが備えられる。信号接続パッド１５ｊはフレキシブル基板接続信号端子の一例であり、グランド接続パッド１５ｉはフレキシブル基板接続接地端子の一例である。フレキシブル基板１４とリジッド基板１５は、基板の一方の面の端部に備えられたこれらの接続パッドにより電気的に接続するように、互いに重ね合わされた状態となる。フレキシブル基板１４とリジッド基板１５の各接続パッドは半田１８により接続される。
【００６６】
リジッド基板１５の各接続パッドは、例えばフレキシブル基板１４の対応した各接続パッドと比較してある程度大きいサイズに形成される。これにより、フレキシブル基板１４及びリジッド基板１５が、所定の位置からある程度ずれて重ね合わされた場合にも各信号及びグランドのラインの電気的な接続を確保することが可能となる。
【００６７】
また図１５及び図２０に示すように、第２のインピーダンス整合手段の基板接続構造は、第１のインピーダンス整合手段の基板接続構造と異なり、リジッド基板１５の第二配線層１５ｃのグランド層１５ｋに、リジッド基板１５の信号接続パッド１４ｆの形状に応じてグランド層を非形成としたグランド層開口部１５ｌを備える。グランド層開口部１５ｌは、例えば一対の信号線路１９を接続する一対の信号接続パッド１４ｆに対応した矩形に形成される。グランド層開口部１５ｌは開口部の一例である。
【００６８】
またフレキシブル基板１４は、第一配線層１４ａに備えられた信号線路１９ａ・１９ｂと第二配線層１４ｃに備えられた信号接続パッド１４ｆを接続する貫通ビアである信号ビア１４ｄを備える。第一配線層１４ａに備えられた信号線路１９と第二配線層１４ｃに備えられた信号接続パッド１４ｆは、インダクタンスの影響による特性インピーダンスのミスマッチを避けるため、例えば二つの信号ビア１４ｄにより接続される。更にフレキシブル基板１４は、第一配線層１４ａと第二配線層１４ｃに備えられたグランド接続パッド１４ｇを接続する貫通ビアであるグランドビア１４ｈを備える。グランドビア１４ｈは、それぞれ信号ビア１４ｄに対する所定の位置に設けられる。
【００６９】
ここで、信号ビア１４ｄ及びグランドビア１４ｈは貫通ビアとして形成されているため、フレキシブル基板１４とリジッド基板１５の各接続パッドどうしを圧着により半田１８で接続する際に、各信号ビア１４ｄ及びグランドビア１４ｈの上部から加えられる熱を半田１８に対して効率良く伝達することが可能となる。信号ビア１４ｄは信号配線用ビアの一例である。
【００７０】
また、図１５及び図１７に示すように、フレキシブル基板１４の第一配線層１４ａに備えられた信号線路１９ａ・１９ｂは、信号ビア１４ｄの近傍で、各信号線路１９ａ・１９ｂの所定の線幅と信号ビア１４ｄの直径に応じて信号ビア１４ｄに向かってテーパ状に広くなるように形成された信号線路テーパ部１４ｉを備える。信号線路テーパ部１４ｉは、フレキシブル基板のマイクロストリップ線路に形成されたテーパ部の一例である。
【００７１】
更に、図１５及び図１８に示すように、フレキシブル基板１４の第二配線層１４ｃのグランドビア１４ｈの近傍において、第一配線層１４ａに形成された信号線路１９ａ・１９ｂの信号線路テーパ部１４ｉの向きに合わせて形成されたグランド層テーパ部１４ｊを備える。グランド層テーパ部１４ｊは、フレキシブル基板のマイクロストリップ線路に対応した接地導体部に形成されたテーパ部の一例である。図１８のＧに示す領域は、フレキシブル基板１４とリジッド基板１５の各接続パッドの圧着による接続時の半田１８の流入を防ぐため、グランド層１４ｅが非形成となる。
【００７２】
また、フレキシブル基板１４の両面に備えられるそれぞれのカバーレイ１６は信号ビア１４ｄ及びグランドビア１４ｈの周囲の所定の領域にて非形成となっている。ここで図１７のＦに示すように、フレキシブル基板１４の第一配線層１４ａの面に備えられるカバーレイ１６は、第一配線層１４ａの信号線路１９ａ・１９ｂの信号線路テーパ部１４ｉの一部を覆う形状に形成される。また、図１８のＨに示すように、フレキシブル基板１４の第二配線層１４ｃの面に備えられるカバーレイ１６は、第二配線層１４ｃのグランド層１４ｅのグランド層テーパ部１４ｊの一部を覆う形状に形成される。カバーレイ１６は保護フィルムの一例である。
【００７３】
更にリジッド基板１５の第一配線層１５ａに備えられているレジスト１７は、信号ビア１４ｄ及びグランドビア１４ｈの周囲の所定の領域にて非形成となっている（レジスト開口部１７ａ）。
【００７４】
図１５から図２０に示す第２の実施の形態の基板接続構造においては、二つの信号線路１９により差動信号が伝送される構成とした。しかし、一つの信号線路１９によりシングルエンドモードの信号が伝送され、この信号線路１９接続を行う信号ビア１４ｄ及び信号接続パッド１４ｆの両側に所定の間隔でグランドビア１４ｈ及びグランド接続パッド１４ｇが配置される構成としてもよい。
【００７５】
次に、第１及び第２のインピーダンス整合手段の基板接続構造の動作例ついて説明する。
【００７６】
＜第１・第２のインピーダンス整合手段の動作例＞
第１及び第２のインピーダンス整合手段の基板接続構造では、フレキシブル基板１４の第一配線層１４ａに設けられた信号線路１９ａ・１９ｂ、及びリジッド基板１５の第一配線層１５ａに設けられた信号線路１９ｃ・１９ｄにより高周波の信号が伝送される。信号が伝送される際には、フレキシブル基板１４の第一配線層１４ａの信号線路１９ａ・１９ｂ及びリジッド基板１５の第一配線層１５ａの信号線路１９ｃ・１９ｄ、及び、これらの信号線路１９を接続する信号ビア１４ｄに信号電流が流れる。
【００７７】
図２１は第１・第２のインピーダンス整合手段の基板接続構造のフレキシブル基板１４の信号線路１９にて、高周波の信号が伝送される際の信号電流及び帰還電流の流れを示す平面図である。図２１は、フレキシブル基板１４の第一配線層１４ａに設けられた信号線路１９ａ・１９ｂ及び第二配線層１４ｃに設けられたグランド層１４ｅを示している。フレキシブル基板１４及びリジッド基板１５の各信号線路１９に高周波の信号が伝送される際には、図２１の矢印Ｉに示すように信号線路１９ａ・１９ｂに電流が流れる。またこの時、図２１の矢印Ｊに示すようにグランド層１４ｅを帰還電流が流れる。
【００７８】
ここで第１・第２のインピーダンス整合手段の基板接続構造においては、フレキシブル基板１４の第一配線層１４ａに備えられた信号線路１９ａ・１９ｂは、信号ビア１４ｄの近傍で信号ビア１４ｄに向かってテーパ状に広くなるように形成された信号線路テーパ部１４ｉを備える。また、フレキシブル基板１４の第二配線層１４ｃのグランドビア１４ｈの近傍において、フレキシブル基板１４の信号線路１９の信号線路テーパ部１４ｉに合わせた向きに形成された、グランド層テーパ部１４ｊを備える。
【００７９】
このため、信号線路１９ａ・１９ｂと信号ビア１４ｄの接続部近傍における、信号線路１９ａ・１９ｂとフレキシブル基板１４の第二配線層１４ｃのグランド層の結合を強めることができ、伝送線路の特性インピーダンスの急激な変化が抑えられる。更に、図２１の矢印Ｊに示すように、グランドビア１４ｈの近傍において帰還電流の経路の急激な変化が抑えられる。これにより、フレキシブル基板１４とリジッド基板１５の接続箇所における高周波の信号の伝送特性を向上させることが可能となる。
【００８０】
また、第２のインピーダンス整合手段の基板接続構造は、図１６及び図２０に示すように、リジッド基板１５の第二配線層１５ｃのグランド層１５ｋに、リジッド基板１５の信号接続パッド１５ｊの形状に応じてグランド層を非形成としたグランド層開口部１５ｌを備える。これにより、リジッド基板１５の信号接続パッド１５ｊとリジッド基板１５の第二配線層１５ｃのグランド層１５ｋとの間の結合が弱まり、生じるキャパシタンスを小さくなる。よって、リジッド基板１５の信号接続パッド１５ｊにおける特性インピーダンスの低下による伝送線路の特性インピーダンスのミスマッチを防ぎ、高周波の信号の伝送特性を更に向上させることが可能となる。これは、リジッド基板１５の第一絶縁層１５ｂの厚さが薄く、信号接続パッド１５ｊとリジッド基板１５の第二配線層１５ｃのグランド層１５ｋとの間の結合が強い場合に、特に有効となる。
【００８１】
また、第１及び第２のインピーダンス整合手段の基板接続構造では、フレキシブル基板１４の両面にカバーレイ１６が備えられる。図１１のＢ及び図１７のＦに示すように、フレキシブル基板１４の第一配線層１４ａの面に備えられるカバーレイ１６は、第一配線層１４ａの信号線路１９の信号線路テーパ部１４ｉの一部を覆う形状に形成される。また、図８のＤ及び図１８のＨに示すように、フレキシブル基板１４の第二配線層１４ｃの面に備えられるカバーレイ１６は、第二配線層１４ｃのグランド層１４ｅのグランド層テーパ部１４ｊの一部を覆う形状に形成される。
【００８２】
このため、カバーレイ１６の端部が重なる箇所の信号線路１９ａ・１９ｂ及びグランド層１４ｅの幅が広くなり、フレキシブル基板１４の折り曲げに対する強度を向上させることができる。
【００８３】
次に、第３のインピーダンス整合手段の構成例について説明する。
【００８４】
＜第３のインピーダンス整合手段の構成例＞
第３のインピーダンス整合手段においては、フレキシブル基板及びリジッド基板は、フレキシブル基板の一部にリジッド基板が上下に積層されたフレックスリジッド基板として構成される。第３のインピーダンス整合手段として各リジッド基板及びフレキシブル基板は、次のような基板接続構造を有する。
【００８５】
図２２から図２８は、第３のインピーダンス整合手段の基板接続構造の構成を示す説明図である。図２２は当該基板接続構造の概略を示す平面図であり、説明のため一部の構成を透視した状態で破線で示している。図２３は図２２のＫ−Ｋ断面を示す概略図である。図２４は後述する第一配線層２１ａを示す平面図であり、説明のため後述する第二配線層２１ｃのグランド層開口部２１ｐを破線で示している。図２５は後述する第二配線層２１ｃ、第五配線層２１ｉ及び第六配線層２１ｋを示す平面図である。図２６は後述する第三配線層２１ｅを示す平面図であり、説明のため後述する第四配線層２１ｇのグランド層開口部２１ｏを破線で示している。図２７は後述する第四配線層２１ｇを示す平面図であり、説明のためフレキシブル基板部２２とリジッド基板部２０の境界を破線で示している。
【００８６】
図２２及び図２３に示すように、第３のインピーダンス整合手段の基板接続構造は、フレキシブル基板のみにより構成されるフレキシブル基板部２２と、フレキシブル基板の一部の上下にリジッド基板が積層されたリジッド基板部２０とを備える。また図２３に示すように、フレキシブル基板部２２は、第三配線層２１ｅ、第三絶縁層２１ｆ及び第四配線層２１ｇが上下に積層されて形成される。リジッド基板部２０は、第一から第六の各配線層と第一から第五の各絶縁層が交互に上下に積層されて形成される。
【００８７】
図２４及び図２６に示すように、第一配線層２１ａにはマイクロストリップラインである一対の信号線路１９ｅ・１９ｆが配線され、第三配線層２１ｅにはマイクロストリップラインである一対の信号線路１９ｇ・１９ｈが配線される。また図２５及び図２７に示すように、第二配線層２１ｃ、第四配線層２１ｇ、第五配線層２１ｉ及び第六配線層２１ｋはグランド層２１ｍが形成される。グランド層は接地導体層及び接地導体部の一例である。
【００８８】
また、図２２から図２７に示すように、第一配線層２１ａに設けられた各信号線路１９と、第三配線層２１ｅに設けられた各信号線路１９をそれぞれ接続する一対の信号ビア２１ｌが、所定の間隔でリジッド基板部２０に配置される。更に、第二配線層２１ｃ、第四配線層２１ｇ、第五配線層２１ｉ及び第六配線層２１ｋの各グランド層２１ｍを接続する一対のグランドビア２１ｎがリジッド基板部２０に備えられる。各グランドビア２１ｎは一対の信号ビア２１ｌを挟む位置に配置される。グランドビア２１ｎと信号ビア２１ｌの間隔は、例えば信号ビア２１ｌ間の間隔と等しい、若しくは信号ビア２１ｌ間の間隔よりも広く形成される。また、各信号ビア２１ｌ及び各グランドビア２１ｎは、リジッド基板部２０を貫通して形成される貫通ビアとして形成される。信号ビア２１ｌは信号配線用ビアの一例であり、グランドビア２１ｎは接地配線用ビアの一例である。
【００８９】
また、図２５に示すように、第二配線層２１ｃ、第五配線層２１ｉ及び第六配線層２１ｋに形成された各グランド層２１ｍにおいては、各信号ビア２１ｌの周囲において、例えば次のような形状にグランド層２１ｍが非形成となるグランド層開口部２１ｐを備える。まず、信号ビア２１ｌとグランドビア２１ｎを結ぶ線で分割して、第一配線層２１ａの信号線路１９の配線方向の反対側となる領域において、グランド層２１ｍが非形成となる。更に、信号ビア２１ｌとグランドビア２１ｎを結ぶ線で分割して、第一配線層２１ａの信号線路１９の配線方向側となる領域においては、一対の信号ビア２１ｌの周囲にて所定の大きさの半長円形の領域で、グランド層２１ｍが非形成となる。また図４に示す、第３のインピーダンス整合手段の基板接続構造においては、第二配線層２１ｃ、第五配線層２１ｉ及び第六配線層２１ｋの端部まで、グランド層２１ｍが非形成となるグランド層開口部２１ｐが備えられる。
【００９０】
第３のインピーダンス整合手段の基板接続構造では、第二配線層２１ｃ、第五配線層２１ｉ及び第六配線層２１ｋにおいて、グランド層開口部２１ｐは、以上のような構成を備えるため、各グランドビア２１ｎは、グランド層２１ｍのグランド層開口部２１ｐに対する端部に位置する。
【００９１】
更に、図２７に示すように、第四配線層２１ｇに形成されたグランド層２１ｍにおいては、例えば一対の信号ビア２１ｌの周囲にて所定の大きさの長円形の領域で、グランド層２１ｍが非形成となるグランド層開口部２１ｏを備える。グランド層開口部２１ｐ及びグランド層開口部２１ｏは開口部の一例である。
【００９２】
また、第二配線層２１ｃ、第五配線層２１ｉ及び第六配線層２１ｋに形成された各グランド層２１ｍにおいては、信号ビア２１ｌとグランドビア２１ｎを結ぶ線で分割して、第一配線層２１ａの信号線路１９ｇ・１９ｈの配線方向の反対側となる領域において、グランド層２１ｍが非形成となる。このため、信号ビア２１ｌと第二配線層、第五配線層２１ｉ及び第六配線層２１ｋのグランド層２１ｍとの間に生じる寄生容量は小さくなる。
【００９３】
更に第３のインピーダンス整合手段の基板接続構造においては、一対の信号ビア２１ｌの間隔は、第一配線層２１ａ及び第三配線層２１ｅにおける一対の信号線路１９の間隔よりも広くなり、このため一対の信号線路１９は、図２４及び図２６に示すように、第一配線層２１ａ及び第三配線層２１ｅにおいて、それぞれ第二配線層２１ｃ及び第四配線層２１ｇに形成されたグランド層開口部２１ｐに対応した箇所において、八の字状に広がるように形成される。
【００９４】
図２２から図２７に示す第３のインピーダンス整合手段の基板接続構造においては、二つの信号線路１９により差動信号が伝送される構成とした。しかし、一つの信号線路１９によりシングルエンドモードの信号が伝送され、この信号線路１９の層間接続を行う信号ビア２１ｌの両側に所定の間隔でグランドビア２１ｎが配置される構成としてもよい。
【００９５】
また、第３のインピーダンス整合手段の基板接続構造の第二配線層２１ｃ、第五配線層２１ｉ及び第六配線層２１ｋに形成された各グランド層２１ｍにおいては、図２５に示すように、次のようにグランド層２１ｍが非形成となるグランド層開口部２１ｐを備えるとした。グランド層開口部２１ｐにおいては、信号ビア２１ｌとグランドビア２１ｎを結ぶ線で分割して、第一配線層２１ａの信号線路１９の配線方向の反対側となる領域において、グランド層２１ｍが非形成となり、更に、信号ビア２１ｌとグランドビア２１ｎを結ぶ線で分割して、第一配線層２１ａの信号線路１９の配線方向側となる領域においては、一対の信号ビア２１ｌの周囲にて所定の大きさの半長円形の領域で、グランド層２１ｍが非形成となる。
【００９６】
しかし、第二配線層２１ｃ、第五配線層２１ｉ及び第六配線層２１ｋに形成された各グランド層２１ｍにおいて、信号ビア２１ｌの周囲の所定の領域から第一配線層２１ａの信号線路１９の配線方向の反対側となる領域において、グランド層２１ｍを非形成としたグランド層開口部２１ｐを備えるとしてもよい。
【００９７】
＜第４のインピーダンス整合手段の構成例＞
次に第４のインピーダンス整合手段の基板接続構造の構成について説明する。第４のインピーダンス整合手段においては、フレキシブル基板及びリジッド基板は、フレキシブル基板の一部にリジッド基板が上下に積層されたフレックスリジッド基板として構成される。第４のインピーダンス整合手段として各リジッド基板及びフレキシブル基板は、次のような基板接続構造を有する。後述するように、第４のインピーダンス整合手段の基板接続構造は、第３のインピーダンス整合手段の基板接続構造において、各信号線路１９の信号ビア２１ｌへの接続箇所をテーパ状に形成したものである。
【００９８】
図２９から図３４は、第４のインピーダンス整合手段の基板接続構造の構成を示す説明図である。図２９は第４のインピーダンス整合手段の基板接続構造の概略を示す平面図であり、説明のため一部の構成を透視した状態で破線で示している。図３０は図２９のＰ−Ｐ断面を示す概略図である。図３１は後述する第一配線層２１ａを示す平面図であり、説明のため後述する第二配線層２１ｃのグランド層開口部２１ｐを破線で示している。図３２は後述する第二配線層２１ｃ、第五配線層２１ｉ及び第六配線層２１ｋを示す平面図である。図３４は後述する第三配線層２１ｅを示す平面図であり、説明のため後述する第四配線層２１ｇのグランド層開口部２１ｏを破線で示している。図３４は後述する第四配線層を示す平面図であり、説明のためフレキシブル基板部２２とリジッド基板部２０の境界を破線で示している。
【００９９】
図２９及び図３０に示すように、第４のインピーダンス整合手段の基板接続構造は、フレキシブル基板のみにより構成されるフレキシブル基板部２２と、フレキシブル基板の一部の上下にリジッド基板が積層されたリジッド基板部２０とを備える。また図３０に示すように、フレキシブル基板部２２及びリジッド基板部２０は、第一から第六の各配線層と第一から第五の各絶縁層が交互に上下に積層されて形成される。
【０１００】
図３１及び図３３に示すように、第一配線層２１ａにはマイクロストリップラインである一対の信号線路１９ｅ・１９ｆが配線され、第三配線層２１ｅにはマイクロストリップラインである一対の信号線路１９ｇ・１９ｈが配線される。また図３２及び図３４に示すように、第二配線層２１ｃ、第四配線層２１ｇ、第五配線層２１ｉ及び第六配線層２１ｋはグランド層２１ｍが形成される。グランド層２１ｍは接地導体層及び接地導体部の一例である。
【０１０１】
また、図２９から図３４に示すように、第一配線層２１ａに設けられた信号線路１９ｇ・１９ｈと、第三配線層２１ｅに設けられた信号線路１９ｅ・１９ｆをそれぞれ接続する一対の信号ビア２１ｌが、所定の間隔でリジッド基板部２０に配置される。更に、第二配線層２１ｃ、第四配線層２１ｇ、第五配線層２１ｉ及び第六配線層２１ｋの各グランド層２１ｍを接続する一対のグランドビア２１ｎがリジッド基板部２０に備えられる。各グランドビア２１ｎは一対の信号ビア２１ｌを挟む位置に配置される。グランドビア２１ｎと信号ビア２１ｌの間隔は、例えば信号ビア２１ｌ間の間隔と等しい、若しくは信号ビア２１ｌ間の間隔よりも広く形成される。また、各信号ビア２１ｌ及び各グランドビア２１ｎは、リジッド基板部２０を貫通して形成される貫通ビアとして形成される。信号ビア２１ｌは信号配線用ビアの一例であり、グランドビア２１ｎは接地配線用ビアの一例である。
【０１０２】
また、図３２に示すように、第二配線層２１ｃ、第五配線層２１ｉ及び第六配線層２１ｋに形成された各グランド層２１ｍにおいては、各信号ビア２１ｌの周囲において、例えば次のような形状にグランド層２１ｍが非形成となるグランド層開口部２１ｐを備える。まず、信号ビア２１ｌとグランドビア２１ｎを結ぶ線で分割して、第一配線層２１ａの信号線路１９の配線方向の反対側となる領域において、グランド層２１ｍが非形成となる。更に、信号ビア２１ｌとグランドビア２１ｎを結ぶ線で分割して、第一配線層２１ａの信号線路１９の配線方向側となる領域においては、一対の信号ビア２１ｌの周囲にて所定の大きさの半長円形の領域で、グランド層２１ｍが非形成となる。また図１５に示す、第４のインピーダンス整合手段の基板接続構造においては、第二配線層２１ｃ、第五配線層２１ｉ及び第六配線層２１ｋの端部まで、グランド層２１ｍが非形成となるグランド層開口部２１ｐが備えられる。
【０１０３】
第４のインピーダンス整合手段の基板接続構造では、第二配線層２１ｃ、第五配線層２１ｉ及び第六配線層２１ｋにおいて、グランド層開口部２１ｐは、以上のような構成を備えるため、各グランドビア２１ｎは、グランド層２１ｍのグランド層開口部２１ｐに対する端部に位置する。
【０１０４】
更に、図３４に示すように、第四配線層２１ｇに形成されたグランド層２１ｍにおいては、例えば一対の信号ビア２１ｌの周囲にて所定の大きさの長円形の領域で、グランド層２１ｍが非形成となるグランド層開口部２１ｏを備える。グランド層開口部２１ｐ及びグランド層開口部２１ｏは開口部の一例である。
【０１０５】
また、第二配線層２１ｃ、第五配線層２１ｉ及び第六配線層２１ｋに形成された各グランド層２１ｍにおいては、信号ビア２１ｌとグランドビア２１ｎを結ぶ線で分割して、第一配線層２１ａの信号線路１９の配線方向の反対側となる領域において、グランド層２１ｍが非形成となる。このため、信号ビア２１ｌと第二配線層、第五配線層２１ｉ及び第六配線層２１ｋのグランド層２１ｍとの間に生じる寄生容量は小さくなる。
【０１０６】
更に第４のインピーダンス整合手段の基板接続構造においては、一対の信号ビア２１ｌの間隔は、第一配線層２１ａ及び第三配線層２１ｅにおける一対の信号線路１９の間隔よりも広くなり、このため一対の信号線路１９は、図３１及び図３３に示すように、第一配線層２１ａ及び第三配線層２１ｅにおいて、それぞれ第二配線層２１ｃ及び第四配線層２１ｇに形成されたグランド層開口部２１ｐに対応した箇所において、八の字状に広がるように形成される。
【０１０７】
また、第４のインピーダンス整合手段の基板接続構造は、第３のインピーダンス整合手段の基板接続構造と異なり、図３１及び図３３に示すように、第一配線層２１ａ及び第三配線層２１ｅに設けられた各信号線路１９は、第二配線層２１ｃ及び第四配線層２１ｇに形成されたグランド層開口部２１ｐに対応した箇所において、各信号線路１９の所定の線路幅と信号ビア２１ｌの径に応じて信号ビア２１ｌに向かって広がるようにテーパ状に形成されている。
【０１０８】
図２９から図３４に示す第４のインピーダンス整合手段の基板接続構造においては、二つの信号線路１９により差動信号が伝送される構成とした。しかし、一つの信号線路１９によりシングルエンドモードの信号が伝送され、この信号線路１９の層間接続を行う信号ビア２１ｌの両側に所定の間隔でグランドビア２１ｎが配置される構成としてもよい。
【０１０９】
また、第４のインピーダンス整合手段の基板接続構造の第二配線層２１ｃ、第五配線層２１ｉ及び第六配線層２１ｋに形成された各グランド層２１ｍにおいては、図３２に示すように、次のようにグランド層２１ｍが非形成となるグランド層開口部２１ｐを備えるとした。グランド層開口部２１ｐにおいては、信号ビア２１ｌとグランドビア２１ｎを結ぶ線で分割して、第一配線層２１ａの信号線路１９の配線方向の反対側となる領域において、グランド層２１ｍが非形成となり、更に、信号ビア２１ｌとグランドビア２１ｎを結ぶ線で分割して、第一配線層２１ａの信号線路１９の配線方向側となる領域においては、一対の信号ビア２１ｌの周囲にて所定の大きさの半長円形の領域で、グランド層２１ｍが非形成となる。
【０１１０】
しかし、第二配線層２１ｃ、第五配線層２１ｉ及び第六配線層２１ｋに形成された各グランド層２１ｍにおいて、信号ビア２１ｌの周囲の所定の領域から第一配線層２１ａの信号線路１９の配線方向の反対側となる領域において、グランド層２１ｍを非形成としたグランド層開口部２１ｐを備えるとしてもよい。
【０１１１】
次に、第３及び第４のインピーダンス整合手段の基板接続構造の動作例ついて説明する。
【０１１２】
＜第３・第４のインピーダンス整合手段の動作例＞
第３及び第４のインピーダンス整合手段の基板接続構造では、第一配線層２１ａ及び第三配線層２１ｅに設けられた信号線路１９により信号が伝送される。信号が伝送される際には、第一配線層２１ａ及び第三配線層２１ｅの信号線路１９、及び、第一配線層２１ａ及び第三配線層２１ｅの信号線路１９を接続する信号ビア２１ｌに信号電流が流れる。
【０１１３】
図２８は第３のインピーダンス整合手段の基板接続構造の信号線路１９にて、高周波の信号が伝送される際の信号電流及び帰還電流の流れを示す平面図であり、図３５は第４のインピーダンス整合手段の基板接続構造の信号線路１９にて、高周波の信号が伝送される際の信号電流及び帰還電流の流れを示す平面図である。図２８及び図３５は、第一配線層２１ａに設けられた信号線路１９及び第二配線層２１ｃに設けられたグランド層２１ｍを示している。第３及び第４のインピーダンス整合手段の基板接続構造において、信号線路１９に高周波の信号が伝送される際には、図２８の矢印Ｎ及び図３５の矢印Ｓに示すように信号線路１９に電流が流れる。またこの時、図２８の矢印Ｏ及び図３５の矢印Ｔに示すようにグランド層２１ｍを帰還電流が流れる。
【０１１４】
ここで、高周波の帰還電流はグランド層２１ｍの端部を流れる性質がある。しかし、第３及び第４のインピーダンス整合手段の基板接続構造の第二配線層２１ｃにおいては、信号ビア２１ｌとグランドビア２１ｎを結ぶ線で分割して、第一配線層２１ａの信号線路１９の配線方向の反対側となる領域において、グランド層２１ｍが非形成となる。このため、帰還電流は、図２８の矢印Ｓ及び図３５の矢印Ｔに示すように短い経路で流れる。このため第３及び第４のインピーダンス整合手段の基板接続構造は、帰還電流の伝送損失を小さくすることができ、信号線路１９の高周波の信号の伝送特性を良好にすることが可能となる。
【０１１５】
また、第３及び第４のインピーダンス整合手段の基板接続構造は、信号ビア２１ｌとグランドビア２１ｎを結ぶ線で分割して、第一配線層２１ａの信号線路１９の配線方向の反対側となる領域において、グランド層２１ｍが非形成となる。このため、信号ビア２１ｌと第二配線層２１ｃのグランド層２１ｍとの間に生じる寄生容量は小さくなる。よって、信号ビア２１ｌの特性インピーダンスの値が、第二配線層２１ｃのグランド層２１ｍの影響により小さくなることを押さえることができる。これにより、信号線路１９の高周波の信号の伝送特性を良好にすることが可能となる。
【０１１６】
第３のインピーダンス整合手段の基板接続構造及び第４のインピーダンス整合手段の基板接続構造は、第二配線層２１ｃにおいて所定の形状にグランド層２１ｍが非形成となるグランド層開口部２１ｐ又はグランド層開口部２１ｏを備える。よって第二配線層２１ｃのグランド層開口部２１ｐ又はグランド層開口部２１ｏに対応した箇所においては、第一配線層２１ａの各信号線路１９はグランド層２１ｍとの結合が弱まり、寄生容量が小さくなり特性インピーダンスの値が大きくなってしまう。
【０１１７】
しかし、第４のインピーダンス整合手段の基板接続構造においては、図３１に示すように、第一配線層２１ａに設けられた各信号線路１９は、第二配線層２１ｃに形成されたグランド層開口部２１ｐに対応した箇所において信号ビア２１ｌに向けてテーパ状に広がるように形成されている。このため、信号線路１９と図１４のＣに示す第二配線層２１ｃの端部との結合が強くなる。よって、寄生容量が小さくなることによる特性インピーダンスの値が大きくなることを防ぎ、信号線路１９の高周波の信号の伝送特性を良好にすることが可能となる。
【０１１８】
同様に、第３及び第４のインピーダンス整合手段の基板接続構造は、第四配線層２１ｇにおいて所定の形状にグランド層２１ｍが除かれたグランド層開口部２１ｏを備える。よって第二配線層２１ｃのグランド層開口部２１ｏに対応した箇所においては、第三配線層２１ｅの各信号線路１９はグランド層２１ｍとの結合が弱まり、寄生容量が小さくなり特性インピーダンスの値が大きくなってしまう。
【０１１９】
しかし、第４のインピーダンス整合手段の基板接続構造においては、図３３に示すように、第三配線層２１ｅに設けられた各信号線路１９は、第四配線層２１ｇに形成されたグランド層開口部２１ｏに対応した箇所において信号ビア２１ｌに向けてテーパ状に広がるように形成されているため、信号線路１９と図３３のＲに示す第四配線層２１ｇの端部との結合を強くなる。よって、寄生容量が小さくなることによる特性インピーダンスの値が大きくなることを防ぎ、信号線路１９の高周波の信号の伝送特性を良好にすることが可能となる。
【０１２０】
第３及び第４のインピーダンス整合手段の基板接続構造は、図２３のＭ及び図３０のＱに示すように、信号ビア２１ｌに信号電流の伝送に寄与しないスタブ部分が形成されている。このスタブ部分は伝送線路の特性インピーダンスを低下させ、伝送特性を悪化させる原因となっている。しかし、第３及び第４のインピーダンス整合手段の基板接続構造では、図２４及び図３１に示すように、第五配線層２１ｉと第六配線層２１ｋにおいて、信号ビア２１ｌとグランドビア２１ｎを結ぶ線で分割して、第一配線層２１ａの信号線路１９の配線方向の反対側となる領域において、グランド層２１ｍが非形成となる。
【０１２１】
このため、第３及び第４のインピーダンス整合手段の基板接続構造は、信号ビア２１ｌと第五配線層２１ｉ及び第六配線層２１ｋの各グランド層２１ｍとの間に生じる寄生容量が小さくなるので、図２３のＭ及び図３０のＱに示すスタブ部分による伝送線路の特性インピーダンスの低下を小さくすることができ、その結果、伝送線路の悪化を押さえることができ、信号線路１９の高周波の信号の伝送特性を良好にすることが可能となる。
【０１２２】
図３６は、本発明のインピーダンス整合手段の基板接続構造の各周波数における、信号線路１９上の信号電流の反射損失（Ｓ１１）及び伝送損失（Ｓ２１）の測定結果を示す図である。Ｕは反射損失（Ｓ１１）の測定結果を示し、Ｖは伝送損失（Ｓ２１）の測定結果を示している。
【０１２３】
高速信号の安定した伝送を行うためには、伝送データレートの周波数において伝送路の反射損失（Ｓ１１）が−１０ｄＢ以下であり、伝送損失（Ｓ２１）が−３ｄＢ以上であることが必要であるとされる。図３６に示すように、本発明のインピーダンス整合手段の
基板接続構造においては２３ＧＨｚ程度まで上記条件を満たす。よって、本発明のインピーダンス整合手段の基板接続構造においては、１０Ｇｂｐｓの高速のシリアル伝送を安定して行うことができる。以上より、本発明のインピーダンス整合手段の基板接続構造で、フレキシブル基板とリジッド基板との接続箇所における高周波信号の伝送特性を向上させることが可能となることが確認できる。
【０１２４】
次に、本発明の光送受信モジュール全体の動作例について説明する。
【０１２５】
＜本発明の光送受信モジュールの動作例＞
図１から図８で示した構成を備え、フレキシブル基板とリジッド基板の各接続部に第１から第４のインピーダンス整合手段を備えることにより、本実施の形態の光送受信モジュール１・２・３・４では、光ケーブル接続コネクタ１１に接続された光ケーブルを通じて、次に示すように外部の情報通信機器等とのデータの送受信が行われる。
【０１２６】
外部の情報通信機器等へのデータの送信は、次のように行われる。パーソナルコンピュータ等の拡張スロットを介して、データ送信に必要な情報が電気信号で光送受信モジュール５０が搭載されたネットワークカード等の各回路に入力される。入力されたデータ送信に必要な情報は、備えられているＭＡＣ用チップ及びＰＨＹ用チップ等により処理が行われ、他基板接続用ＦＰＣ１３を介して光送受信ボード１０上の光送受信回路部９に電気信号で入力される。
その後、光送受信回路部９に入力された情報に基づき、ＴＯＳＡ接続用ＦＰＣ７を介して、電気信号でＴＯＳＡ５のレーザーダイオードが駆動され、光ケーブルを通じて外部の情報通信機器に対して光信号でデータの送信が行われる。
【０１２７】
外部の情報通信機器等からのデータの受信は、次のように行われる。外部の情報通信機器からのデータが、ＲＯＳＡ６のフォトダイオードに光ケーブルを通じて光信号で入力される。ＲＯＳＡ６のフォトダイオードに入力された光信号は電気信号に変換され、ＲＯＳＡ接続用ＦＰＣ８を介して、光送受信ボード１０上の光送受信回路部９に電気信号で入力される。光送受信回路部９に入力された電気信号はポストアンプ回路等により処理された後、他基板接続用ＦＰＣ１３を介して他基板上の各回路に入力される。入力された電気信号は、備えられているＰＨＹ用チップ及びＭＡＣ用チップ等により処理が行われ、受信したデータとして拡張スロット等を介してパーソナルコンピュータ等側に電気信号で出力される。
【０１２８】
また、上述したように、光ケーブルを通じて外部の情報通信機器とデータの送受信が行われる際には、ＴＯＳＡ接続用ＦＰＣ７、ＲＯＳＡ接続用ＦＰＣ８、光送受信ボード接続用ＦＰＣ１２、他基板接続用ＦＰＣ１３及び光送受信ボード１０の各基板の各信号線路、及び各接合箇所では高周波の電気信号が伝送される。例えば、１０Ｇビット／秒といった高速のシリアルデータ伝送が行われるような場合は、１０ＧＨｚを越える高周波の信号に対しても対応する必要がある。
【０１２９】
本実施の形態の光送受信モジュール１・２・３・４では、フレキシブル基板とリジッド基板の接続部に第１から第４のインピーダンス整合手段が備えられる。これにより、高速のデータの送受信を行うことで各基板の信号線路及び接合箇所に高周波の信号が伝送される場合であっても、高品位な信号の伝送が可能となり、安定したデータの送受信が可能となる。
【０１３０】
また、本実施の形態の光送受信モジュール１・２・３・４においては、フレキシブル基板とリジッド基板の各接続部において、第１から第４の何れのインピーダンス整合手段も適用可能である。よって、フレキシブル基板とリジッド基板の接続部によってインピーダンス整合手段が異なる構成とすることも可能である。
【産業上の利用可能性】
【０１３１】
本発明は、光送信モジュール、光受信モジュール及び光送受信回路を備えた光送受信モジュールに適用される。
【図面の簡単な説明】
【０１３２】
【図１】第１の実施の形態の光送受信モジュール構成図である。
【図２】第１の実施の形態の光送受信モジュール構成図である。
【図３】第２の実施の形態の光送受信モジュール構成図である。
【図４】第２の実施の形態の光送受信モジュール構成図である。
【図５】第３の実施の形態の光送受信モジュール構成図である。
【図６】第３の実施の形態の光送受信モジュール構成図である。
【図７】第４の実施の形態の光送受信モジュール構成図である。
【図８】第４の実施の形態の光送受信モジュール構成図である。
【図９】第１のインピーダンス整合手段の基板接続構造の平面図である。
【図１０】第１のインピーダンス整合手段の基板接続構造の断面図である。
【図１１】第１のインピーダンス整合手段の基板接続構造の平面図である。
【図１２】第１のインピーダンス整合手段の基板接続構造の平面図である。
【図１３】第１のインピーダンス整合手段の基板接続構造の平面図である。
【図１４】第１のインピーダンス整合手段の基板接続構造の平面図である。
【図１５】第２のインピーダンス整合手段の基板接続構造の平面図である。
【図１６】第２のインピーダンス整合手段の基板接続構造の断面図である。
【図１７】第２のインピーダンス整合手段の基板接続構造の平面図である。
【図１８】第２のインピーダンス整合手段の基板接続構造の平面図である。
【図１９】第２のインピーダンス整合手段の基板接続構造の平面図である。
【図２０】第２のインピーダンス整合手段の基板接続構造の平面図である。
【図２１】第１・第２のインピーダンス整合手段の基板接続構造の平面図である。
【図２２】第３のインピーダンス整合手段の基板接続構造の平面図である。
【図２３】第３のインピーダンス整合手段の基板接続構造の断面図である。
【図２４】第３のインピーダンス整合手段の基板接続構造の平面図である。
【図２５】第３のインピーダンス整合手段の基板接続構造の平面図である。
【図２６】第３のインピーダンス整合手段の基板接続構造の平面図である。
【図２７】第３のインピーダンス整合手段の基板接続構造の平面図である。
【図２８】第３のインピーダンス整合手段の基板接続構造の平面図である。
【図２９】第４のインピーダンス整合手段の基板接続構造の平面図である。
【図３０】第４のインピーダンス整合手段の基板接続構造の断面図である。
【図３１】第４のインピーダンス整合手段の基板接続構造の平面図である。
【図３２】第４のインピーダンス整合手段の基板接続構造の平面図である。
【図３３】第４のインピーダンス整合手段の基板接続構造の平面図である。
【図３４】第４のインピーダンス整合手段の基板接続構造の平面図である。
【図３５】第４のインピーダンス整合手段の基板接続構造の平面図である。
【図３６】反射損失・伝送損失の測定結果である。
【符号の説明】
【０１３３】
１・・・光送受信モジュール、２・・・光送受信モジュール、３・・・光送受信モジュール、４・・・光送受信モジュール、５・・・ＴＯＳＡ、６・・・ＲＯＳＡ、７・・・ＴＯＳＡ接続用ＦＰＣ、８・・・ＲＯＳＡ接続用ＦＰＣ、９・・・光送受信回路部、１０・・・光送受信ボード、１２・・・光送受信ボード接続用ＦＰＣ、１３・・・他基板接続用ＦＰＣ、１４・・・フレキシブル基板、１４ｅ・・・グランド層、１４ｆ・・・信号接続パッド、１４ｇ・・・グランド接続パッド、１４ｄ・・・信号ビア、１４ｈ・・・グランドビア、１４ｉ・・・信号線路テーパ部、１４ｊ・・・グランド層テーパ部、１５・・・リジッド基板、１５ｈ・・・グランド層、１５ｉ・・・グランド接続パッド、１５ｊ・・・信号接続パッド、１５ｌ・・・グランド層開口部、１６・・・カバーレイ、１９・・・信号線路、２０・・・リジッド基板部、２１ｌ・・・信号ビア、２１ｍ・・・グランド層、２１ｎ・・・グランドビア、２１ｏ・・・グランド層開口部、２１ｐ・・・グランド層開口部、２２・・・フレキシブル基板部
【図１】
2007123744.tif 000003
【図２】
2007123744.tif 000004
【図３】
2007123744.tif 000005
【図４】
2007123744.tif 000006
【図５】
2007123744.tif 000007
【図６】
2007123744.tif 000008
【図７】
2007123744.tif 000009
【図８】
2007123744.tif 000010
【図９】
2007123744.tif 000011
【図１０】
2007123744.tif 000012
【図１１】
2007123744.tif 000013
【図１２】
2007123744.tif 000014
【図１３】
2007123744.tif 000015
【図１４】
2007123744.tif 000016
【図１５】
2007123744.tif 000017
【図１６】
2007123744.tif 000018
【図１７】
2007123744.tif 000019
【図１８】
2007123744.tif 000020
【図１９】
2007123744.tif 000021
【図２０】
2007123744.tif 000022
【図２１】
2007123744.tif 000023
【図２２】
2007123744.tif 000024
【図２３】
2007123744.tif 000025
【図２４】
2007123744.tif 000026
【図２５】
2007123744.tif 000027
【図２６】
2007123744.tif 000028
【図２７】
2007123744.tif 000029
【図２８】
2007123744.tif 000030
【図２９】
2007123744.tif 000031
【図３０】
2007123744.tif 000032
【図３１】
2007123744.tif 000033
【図３２】
2007123744.tif 000034
【図３３】
2007123744.tif 000035
【図３４】
2007123744.tif 000036
【図３５】
2007123744.tif 000037
【図３６】
2007123744.tif 000038